(57)【要約】【課題】スピーカー内に応用し、使用寿命を延長するとともに、音響性能を高め、音声再生における忠実度の低下を抑えることができる高出力スピーカー内に用いるボイスコイルダイアフラムを提供すること。【解決手段】振動膜２０と、直管３０と、連接部材４０を含み、振動膜２０が、中心に位置する膨出部２１と、膨出部２１の周囲に周設された弾性部２２と、膨出部２１と弾性部２２に連接する接続部２３を備え、直管３０は、中空状で、接続部２３に近い第１端３１と、接続部２３から離れた第２端３２を備え、ボイスコイル３３が第２端３２の外部に巻回され、連接部材４０が、接続部２３と直管３０の第１端３１が相隣する箇所に連接されて、直管３０を接続部２３の一側に固定する。【選択図】図１
2020036306.tif 000002
【特許請求の範囲】
【請求項１】
高出力スピーカーに用いるボイスコイルダイアフラムであって、振動膜と、直管と、連接部材を含み、
前記振動膜が、該振動膜の中心に位置する膨出部と、該膨出部の周囲に周設された弾性部と、該膨出部と該弾性部に連接する接続部を備え、
前記直管が、中空状で、ボイスコイルの巻回に用いられ、前記接続部に近い第１端と、前記接続部から離れた第２端を備え、かつ前記ボイスコイルが該第２端の外部に巻回され、
前記連接部材が、前記振動膜と前記直管の連接に用いられ、前記接続部と前記直管の第１端が相隣する箇所に連接されて、前記直管を前記接続部の一側に固定する、ことを特徴とする、高出力スピーカーに用いるボイスコイルダイアフラム。
【請求項２】
前記連接部材の前記直管の第１端と相対する位置に溝部が形成され、かつ該直管の第１端が前記溝部内に嵌置されることを特徴とする、請求項１に記載の高出力スピーカーに用いるボイスコイルダイアフラム。
【請求項３】
前記連接部材の周囲に前記弾性部の外囲を囲む辺縁部が周設され、かつ該辺縁部と前記連接部材間が少なくとも１つの延伸部で相互に連結されることを特徴とする、請求項２に記載の高出力スピーカーに用いるボイスコイルダイアフラム。
【請求項４】
前記辺縁部上に、前記弾性部を挟持するために用いる挟持部が設けられ、該挟持部が前記辺縁部から延伸され、前記辺縁部が前記挟持部を介して前記弾性部の外囲に周設されていることを特徴とする、請求項３に記載の高出力スピーカーに用いるボイスコイルダイアフラム。
【請求項５】
前記連接部材がシリコン材料で成型されたことを特徴とする、請求項４に記載の高出力スピーカーに用いるボイスコイルダイアフラム。
【請求項６】
高出力スピーカーに用いるボイスコイルダイアフラムであって、振動膜と、ボイスコイルと、連接部材を含み、
前記振動膜が、中心部と、該中心部の周縁に周設され、かつ該中心部と相互に分離された弾性部を備え、該中心部が膨出部と、該膨出部から延伸された直管を備え、
前記ボイスコイルが、前記直管の膨出部から離れた一端の外部に巻回され、
前記連接部材が、前記中心部と前記弾性部が相隣する箇所に連接されて、前記中心部と弾性部を相互に連結することを特徴とする、高出力スピーカーに用いるボイスコイルダイアフラム。
【請求項７】
前記膨出部と該直管の連結箇所に複数の通孔が形成され、前記連接部材が該通孔を通じて、前記弾性部を前記中心部と相互に連結可能にすることを特徴とする、請求項６に記載の高出力スピーカーに用いるボイスコイルダイアフラム。
【請求項８】
前記連接部材の周囲に前記弾性部の外囲を囲む辺縁部が周設され、かつ該辺縁部と前記弾性部間が少なくとも１つの延伸部を利用して相互に連結されることを特徴とする、請求項７に記載の高出力スピーカーに用いるボイスコイルダイアフラム。
【請求項９】
前記辺縁部上に、前記弾性部を挟持するために用いる挟持部が設けられ、該挟持部が該辺縁部から延伸され、前記辺縁部が前記挟持部を介して前記弾性部の外囲に周設されることを特徴とする、請求項８に記載の高出力スピーカーに用いるボイスコイルダイアフラム。
【請求項１０】
前記連接部材がシリコン材料で成型されたことを特徴とする、請求項１に記載の高出力スピーカーに用いるボイスコイルダイアフラム。
【発明の詳細な説明】
【技術分野】
【０００１】
本発明は、高出力スピーカー内に用い、使用寿命を延長し、音響性能を高め、音声再生における忠実度の低下を抑えることができるボイスコイルダイアフラムに関する。
【背景技術】
【０００２】
ボイスコイルダイアフラムは、通常、スピーカー内に応用され、振動によりボイスコイルを動かして磁石外部で上下振幅を発生させ、この動エネルギーを電気エネルギーに変換し、音声を伝達する。
【０００３】
従来のスピーカーとしては、例えば特許文献１に開示されているように、振動膜と、該振動膜を駆動するボイスコイルを含むマイクロスピーカーがある。
このようなマイクロスピーカーにおいて、ボイスコイルはほとんどがエナメル線を巻回させて形成されており、ボイスコイルと振動膜の組立て時、両者間の結合効果を高めるために、ボイスコイルと振動膜との接合部位に接着剤を塗布し、ボイスコイルが振動膜上にしっかり固定されるようにしている。
【０００４】
しかし、ボイスコイルと振動膜を接着剤で相互に接着すると、振動膜が接着剤の品質に影響を受けることになり、この結果、振動膜がボイスコイルの駆動により振動して音を発するとき、接着剤が振動膜の振動を一部吸収し、振動膜の振幅効率に影響して、スピーカーにノイズが発生する。
【先行技術文献】
【特許文献】
【０００５】
【特許文献１】米国特許公告第９８２００６６号明細書
【発明の概要】
【発明が解決しようとする課題】
【０００６】
本発明が解決しようとする課題は、スピーカー内に応用し、使用寿命を延長するとともに、音響性能を高め、音声再生における忠実度の低下を抑えることができる高出力スピーカー内に用いるボイスコイルダイアフラムを提供することにある。
【課題を解決するための手段】
【０００７】
本発明の高出力スピーカーに用いるボイスコイルダイアフラムは、振動膜と、直管と、連接部材を含み、前記振動膜が、該振動膜の中心に位置する膨出部と、該膨出部の周囲に周設された弾性部と、該膨出部と該弾性部に連接する接続部を備え、前記直管が、中空状で、ボイスコイルの巻回に用いられ、前記接続部に近い第１端と、前記接続部から離れた第２端を備え、かつ前記ボイスコイルが該第２端の外部に巻回され、前記連接部材が、前記振動膜と前記直管の連接に用いられ、前記接続部と前記直管の第１端が相隣する箇所に連接されて、前記直管を前記接続部の一側に固定する。
【０００８】
一実施例において、前記連接部材の前記直管の第１端と相対する位置に溝部が形成され、かつ該直管の第１端が前記溝部内に嵌置される。
【０００９】
一実施例において、前記連接部材の周囲に前記弾性部の外囲を囲む辺縁部が周設され、かつ該辺縁部と前記連接部材間が少なくとも１つの延伸部で相互に連結される。
【００１０】
一実施例において、前記辺縁部上に、前記弾性部を挟持するために用いる挟持部が設けられ、該挟持部が前記辺縁部から延伸され、前記辺縁部が前記挟持部を介して前記弾性部の外囲に周設されている。
【００１１】
一実施例において、前記連接部材がシリコン材料で成型される。
【００１２】
本発明の別の高出力スピーカーに用いるボイスコイルダイアフラムは、振動膜と、ボイスコイルと、連接部材を含み、前記振動膜が、中心部と、該中心部の周縁に周設され、かつ該中心部と相互に分離された弾性部を備え、該中心部が膨出部と、該膨出部から延伸された直管を備え、前記ボイスコイルが、前記直管の膨出部から離れた一端の外部に巻回され、前記連接部材が、前記中心部と前記弾性部が相隣する箇所に連接されて、前記中心部と弾性部を相互に連結する。
【００１３】
一実施例において、前記膨出部と該直管の連結箇所に複数の通孔が形成され、前記連接部材が該通孔を通じて、前記弾性部を前記中心部と相互に連結可能にする。
【００１４】
一実施例において、前記連接部材の周囲に前記弾性部の外囲を囲む辺縁部が周設され、かつ該辺縁部と前記弾性部間が少なくとも１つの延伸部を利用して相互に連結される。
【００１５】
一実施例において、前記辺縁部上に、前記弾性部を挟持するために用いる挟持部が設けられ、該挟持部が該辺縁部から延伸され、前記辺縁部が前記挟持部を介して前記弾性部の外囲に周設される。
【００１６】
一実施例において、前記連接部材がシリコン材料で成型される。
【発明の効果】
【００１７】
本発明の高出力スピーカーに用いるボイスコイルダイアフラムは、従来技術と比較して次のような利点を有する。
１．従来技術の人工的粘着方式に代えて、振動膜と直管が連接部材を介して相互に連接されており、振動膜と直管の間の連結強度を高め、ボイスコイルダイアフラムの使用寿命を延長することができる。
２．連接部材を通じて振動膜と直管の間の同心度を保持し、音声再生における忠実度の低下を効果的に抑えることができ、スピーカーの音響性能を高めることができる。
【００１８】
本発明の別の高出力スピーカーに用いるボイスコイルダイアフラムは、従来技術と比較して次のような利点を有する。
１．中心部は膨出部と直管が一体成形され、かつ、従来技術の人工的粘着方式に代えて、連接部材を介して弾性部との間が相互に連結されており、振動膜と直管の間の連結強度を高め、ボイスコイルダイアフラムの使用寿命を延長することができる。
２．中心部は膨出部と直管が一体成形されており、かつ連接部材を通じて中心部と弾性部の間の同心度を保持し、音声再生における忠実度の低下を効果的に抑えることができ、スピーカーの音響性能を高めることができる。
【図面の簡単な説明】
【００１９】
【図１】本発明の実施例１を示すボイスコイルダイアフラムの分解斜視図である。
【図２】本発明の実施例１を示すボイスコイルダイアフラムの第１視角から見た斜視図である。
【図３】本発明の実施例１を示すボイスコイルダイアフラムの第２視角から見た斜視図である。
【図４】本発明の実施例１を示すボイスコイルダイアフラムの断面図である。
【図５】図４の部分拡大図である。
【図６】本発明の実施例２を示すボイスコイルダイアフラムの分解断面図である。
【図７】本発明の実施例２に係る中心部の断面図である。
【図８】本発明の実施例２を示すボイスコイルダイアフラムの断面図である。
【図９】図８の部分拡大図である。
【発明を実施するための形態】
【００２０】
以下、本発明の実施例を図面に基づいて詳細に説明する。
図１から図５は、本発明の実施例１を示す。
実施例１において、ボイスコイルダイアフラム１０は、振動膜２０と、直管３０と、連接部材４０を含む。
振動膜２０は、該振動膜２０の中心に位置する膨出部２１と、膨出部２１の周囲に周設された弾性部２２と、膨出部２１と弾性部２２の間に位置する接続部２３を備える。膨出部２１は一方向に球面状に膨出しており、弾性部２２が、膨出部２１の周縁から膨出部２１の膨出方向に向かって径方向外方へ延伸され、接続部２３が膨出部２１と弾性部２２に連接して両者を接続し、振動膜２０が構成される。
【００２１】
直管３０は中空状であり、接続部２３に相隣する第１端３１と、第１端３１から膨出部２１の膨出方向と逆方向に向かって延伸された第２端３２を備え、かつ直管３０と振動膜２０は相互に分離している。直管３０はボイスコイル３３の巻回に用いられ、ボイスコイル３３が第２端３２の外部に巻回される。
【００２２】
連接部材４０は、シリコン材料を射出成型して形成され、振動膜２０の接続部２３の位置に設置される。
連接部材４０の成型方法は、主として、まず振動膜２０と直管３０を金型（図示しない）内に入れ、該振動膜２０と直管３０間にスペースを保持させた後、液体シリコンを該金型内に注入して、振動膜２０と直管３０の間のスペース内に充填し、冷却して液体シリコンを凝固させることにより、連接部材４０が形成される。このため、連接部材４０は、直管３０の第１端３１箇所に、該第１端３１を被覆する溝部４１が形成され、直管３０の第１端３１が溝部４１内に嵌置され、これにより連接部材４０を介して振動膜２０と直管３０を相互に連結することができる。
連接部材４０は射出成型で形成されるため、振動膜２０と直管３０を金型内部に入れたとき、該金型の精密度を通じて振動膜２０と直管３０間の同心度を制御でき、振動膜２０と直管３０間の同心度をより精密に保つことができる。
【００２３】
連接部材４０の周囲には弾性部２２の外囲を囲む辺縁部４２が周設され、辺縁部４２と連接部材４０間は少なくとも１つの延伸部４３で相互に連結される。本実施例において、辺縁部４２と連接部材４０の間には４つの延伸部４３が設置され、辺縁部４２と連接部材４０間の安定した連結を確保することができる。
辺縁部４２上には、延伸部４３と協働して弾性部２２の外周縁を挟持する挟持部４４が形成される。挟持部４４は辺縁部４２から連接部材４０の方向に向かって延伸され、かつ弾性部２２の外囲辺縁を囲み、辺縁部４２を弾性部２２と相互に確実に連結させることができる。
【００２４】
これにより振動膜２０と直管３０の間が連接部材４０を介して効果的に相互に連結され、振動膜２０と直管３０間の連接強度を高めることができるほか、同時に振動膜２０と直管３０間の同心度を維持することができ、ボイスコイルダイアフラム１０の音声再生における忠実度の低下を抑え、スピーカーの音響性能を高めることができる。
【００２５】
［実施例２］
図６から図９は、本発明の実施例２を示す。
実施例２において、ボイスコイルダイアフラム５０は、振動膜６０と、ボイスコイル７０と、連接部材８０を含む。
振動膜６０は、中心部６１と、中心部６１の周縁を囲み、かつ相互に間が隔てられた弾性部６２を備えている。
中心部６１は膨出部６３と直管６４を含み、膨出部６３が一方向に向かって球面状に膨出しており、直管６４が膨出部６３の周縁から膨出方向の逆方向に向かって延伸される。膨出部６３と直管６４の相隣する箇所に複数の通孔６５が設けられ、通孔６５が中心部６１を貫通している。ボイスコイル７０は直管６４の膨出部６３から離れた一端上に巻回される。
【００２６】
連接部材８０は中心部６１と弾性部６２の間に形成される。
本実施例において、連接部材８０は、実施例１と同様にシリコン材料を射出成型する方式で成形される。連接部材８０を成型するには、まず中心部６１と弾性部６２を順に金型（図示しない）内に入れ、中心部６１と弾性部６２間にスペースを形成させ、液体シリコンを該金型内に注入し、該液体シリコンを中心部６１と弾性部６２との間のスペース内に充填させ、中心部６１の複数の通孔６５を通過させた後、冷却凝固させることにより、連接部材８０が形成される。
これにより、連接部材８０が、中心部６１内部に、中心部６１の周縁に沿って周設された内環部８１と、中心部６１外囲に、中心部６１の周縁に沿って周設され、かつ弾性部６２に連接された外環部８２を含み、内環部８１と外環部８２が相互に連結され、連接部材８０を通じて中心部６１と弾性部６２間を相互に連結させることができる。
【００２７】
また、連接部材８０の周囲には弾性部６２の外囲を囲む辺縁部８３が周設され、辺縁部８３と連接部材８０間が少なくとも１つの延伸部８４で相互に連結される。本実施例において、辺縁部８３と連接部材８０の間には４つの延伸部８４が設置され、辺縁部８３と連接部材８０相互間を安定的に連接させることができる。
さらに、辺縁部８３上に、実施例１と同様に延伸部８４と協働して弾性部６２の外縁を挟持する挟持部８５が設置される。挟持部８５は、辺縁部８３から連接部材８０の方向に向かって延伸され、かつ弾性部６２の外囲を囲み、辺縁部８３と弾性部６２間を効果的に連結することができる。
【００２８】
これにより、中心部６１と弾性部６２の間が連接部材８０を介して効果的に相互に連結され、中心部６１と弾性部６２間の連接強度を高めることができるほか、中心部６１と弾性部６２間の同心度を維持することができ、音声再生における忠実度の低下を抑え、スピーカーの音響性能を高めることができる。
【符号の説明】
【００２９】
１０  ボイスコイルダイアフラム
２０  振動膜
２１  膨出部
２２  弾性部
２３  接続部
３０  直管
３１  第１端
３２  第２端
３３  ボイスコイル
４０  連接部材
４１  溝部
４２  辺縁部
４３  延伸部
４４  挟持部
５０  ボイスコイルダイアフラム
６０  振動膜
６１  中心部
６２  弾性部
６３  膨出部
６４  直管
６５  通孔
７０  ボイスコイル
８０  連接部材
８１  内環部
８２  外環部
８３  辺縁部
８４  延伸部
８５  挟持部
【図１】
2020036306.tif 000003
【図２】
2020036306.tif 000004
【図３】
2020036306.tif 000005
【図４】
2020036306.tif 000006
【図５】
2020036306.tif 000007
【図６】
2020036306.tif 000008
【図７】
2020036306.tif 000009
【図８】
2020036306.tif 000010
【図９】
2020036306.tif 000011